(57)【要約】【課題】口金の根元まで発光可能な発光効率の高い電球形蛍光ランプを提供する。【解決手段】発光管６と、この発光管６を覆うグローブ３と；このグローブ３に直接的または間接的に固着される口金２と；この口金２内に固定された点灯回路基板４と；発光管６をグローブ３および口金２側に対して固定するランプホルダー５と；を具備し、前記発光管６の長手方向に直交する方向の最大幅ａがこの口金２の内径ｃと同等かそれ以下であることを特徴とする電球形蛍光ランプである。【選択図】  図１
2007026729.tif 000002
【特許請求の範囲】
【請求項１】
発光管と、
この発光管を覆うグローブと；
このグローブに直接的または間接的に固着される口金と；
この口金内に固定された点灯回路基板と；
発光管をグローブおよび口金側に対して固定する発光管固定手段と；
を具備し、
前記発光管の長手方向に直交する方向の最大幅がこの口金の内径と同等かそれ以下であることを特徴とする電球形蛍光ランプ。
【請求項２】
管径５〜８ｍｍ、最大外径３０ｍｍの螺旋形状であって、点灯時に最冷部が形成される突出部を一端側の頂部に有する発光管と；
この発光管を覆うグローブと；
前記発光管の突出部を前記グローブに熱的に結合する熱伝導性媒体と；
前記グローブに直接的または間接的に固着される口金と；
この口金内に配設された点灯回路基板と；
発光管をグローブおよび口金側に対して固定する発光管固定手段と；
を具備していることを特徴とする電球形蛍光ランプ。
【請求項３】
発光管固定手段が点灯回路基板に設けられていることを特徴とする請求項１または２記載の電球形蛍光ランプ。
【発明の詳細な説明】
【技術分野】
【０００１】
本発明はグローブの端部を口金に近付けてグローブの根元まで発光しているように改良された電球形蛍光ランプに関する。
【背景技術】
【０００２】
従来、この種の電球形蛍光ランプの一例としては、２重螺旋形発光管を白熱電球等一般照明用電球と同一または近似サイズのグローブにより被覆し、この発光管とグローブとを、遮光性のカバーを介して口金に装着している（例えば特許文献１参照）。
【特許文献１】特開２００４−３１１０３２号公報
【発明の開示】
【発明が解決しようとする課題】
【０００３】
しかしながら、このような従来の電球形蛍光ランプでは、カバーが遮光性を有する合成樹脂から形成され、グローブと口金との間にて比較的大きな寸法で外部に露出しているので、発光管から口金側へ照射される発光がこのカバーにより遮光され、白熱電球等一般照明用電球とは相違する配光特性を形成している。
【０００４】
本発明は、上記課題に鑑みてなされたものであり、グローブが口金側の根元まで発光可能な電球形蛍光ランプを提供することを目的とする。
【課題を解決するための手段】
【０００５】
請求項１に係る発明は、発光管と、この発光管を覆うグローブと；このグローブに直接的または間接的に固着される口金と；この口金内に固定された点灯回路基板と；発光管をグローブおよび口金側に対して固定する発光管固定手段と；を具備し、前記発光管の長手方向に直交する方向の最大幅がこの口金の内径と同等かそれ以下であることを特徴とする電球形蛍光ランプである。
【０００６】
請求項２に係る発明は、管径５〜８ｍｍ、最大外径３０ｍｍの螺旋形状であって、点灯時に最冷部が形成される突出部を一端側の頂部に有する発光管と；この発光管を覆うグローブと；前記発光管の突出部を前記グローブに熱的に結合する熱伝導性媒体と；前記グローブに直接的または間接的に固着される口金と；この口金内に配設された点灯回路基板と；発光管をグローブおよび口金側に対して固定する発光管固定手段と；を具備していることを特徴とする電球形蛍光ランプである。
【０００７】
請求項３に係る発明は、発光管固定手段が点灯回路基板に設けられていることを特徴とする請求項１または２記載の電球形蛍光ランプである。
【発明の効果】
【０００８】
請求項１の発明によれば、発光管の幅が、口金の内径と同等かそれ以下であるので、この口金側に固着されるグローブの根元部分の内面と、発光管の幅方向端面との間には、間隙が形成される。このために、その間隙から発光管からの発光を外部へ照射することができるので、グローブの根元部分まで発光させることができる。
【０００９】
請求項２の発明によれば、発光管の突出部を熱伝導性媒体によりグローブに熱的に結合しているので、この発光管の突出部を最冷部に形成することができる。
【００１０】
このために、発光管の細管を口金側に延伸させ、その細管内にアマルガムを封入する必要がない。
【００１１】
また、発光管が螺旋形状であるので、その端部は点灯回路基板に対してほぼ平行方向、すなわち、横向き状態となる。このために、その発光管端部とその排気管が点灯回路基板に対して垂直に向く場合よりも、発光管端部と点灯回路基板との間隙を狭くすることができるので、発光管端部を点灯回路基板に接着剤により固着する場合に、その接着剤の使用量を低減することができるうえに、その固着の確実性を向上させることができる。
【００１２】
請求項３の発明によれば、発光管の一端部を回路基板により直接または発光管固定手段を介して間接的に保持するので、発光管支持の確実性を向上させることができる。
【発明を実施するための最良の形態】
【００１３】
以下、本発明の実施形態を添付図面に基づいて説明する。なお、複数の添付図面中、同一または相当部分には同一符号を付している。
【００１４】
図１は本発明の第１の実施形態に係る電球形蛍光ランプ１の一部切欠正面図である。この電球形蛍光ランプ１は、白熱電球等一般照明用に使用されるＥ２６形の口金２の図１中下端の開口端部２ａ内に、白熱電球等一般照明用電球と同一または近似の寸法のグローブ３の図１中上端部の縮径開口端部３ａを嵌入し、その嵌入部を図示しないシリコン樹脂等の接着剤により固着している。なお、一般照明用電球とは、ＪＩＳ  Ｃ  ７５０１に定義されているものである。また、グローブ３は、透明または光拡散性を有する乳白色等であって透光性を有している。グローブ３はガラスまたは合成樹脂等により一般照明用電球のガラス球とほぼ同形状の滑らかな曲面状に形成されている。
【００１５】
口金２内には、その開口端２ａとほぼ平行をなす横形で円板状の点灯回路基板４を収容し、この点灯回路基板４の外周縁部をシリコン樹脂等の接着剤により固着している。点灯回路基板４は、その図１内上面と下面の少なくとも一方には、複数の点灯回路部品４ａ，４ａ，…を実装し、インバータ点灯回路（高周波点灯回路）に構成されている。
【００１６】
点灯回路基板４は、その図１中下面の外周縁部に、発光管固定手段の一例である有底円筒状で合成樹脂製のランプホルダー５の開口端部をシリコン樹脂等の合成樹脂により固着している。ランプホルダー５の胴部外側面にはグローブ３の縮径開口端部を外嵌固着している。ランプホルダー５の胴部外側周面には、グローブ３の縮径開口端部３ａを外嵌固着している。
【００１７】
ランプホルダー５は、その底部に、発光管６の複数の端部をその軸方向にそれぞれ貫通させる取付孔をそれぞれ穿設しており、これら取付孔を貫通する発光管６の貫通孔端部外周には接着剤が充填されてランプホルダー５に固着されている。
【００１８】
発光管６は、例えば１本の直管円管状蛍光ランプをダブルユー（ダブルＵ）や鞍形等所要形状に屈曲された屈曲形蛍光ランプよりなり、グローブ３内に収容されている。発光管６は、その一対の電極封止端部に接続された図示しないリード線を点灯回路基板３の出力端子に接続しており、この点灯回路基板３の入力端子には、図示しないリード線により口金２のシェル（胴部内側面）とアウトレット２ｂの内面に半田付け等により固着されている。
【００１９】
また、発光管６は、その一対の電極封止端部の一方等図１中上端部には、アマルガム等を収容する細管Ｓが突設されている。この細管Ｓはランプホルダー５と点灯回路基板３を垂直方向（板厚方向）に貫通して口金２内の図１中上部へ延伸し、その先端部内にアマルガム等が封入され、最冷部を形成するようになっている。
【００２０】
そして、発光管６は、その長手方向のランプ軸ＬＯに対して直交方向（図１では横方向）の幅寸法ａが点灯回路基板３の直径ｂよりも小さく（ａ＜ｂ）形成されている。なお、口金２の開口端２ａの直径ｃは点灯回路基板３の直径ｂよりも大きく（ｃ＞ｂ）形成されており、これらはａ＜ｂ＜ｃの関係を有する。また、発光管６の幅ｂはグローブ３の開口端３ａの直径（内径）ｃよりも小さく形成されている。なお、発光管6の幅方向寸法ａは口金２の開口端２ａの直径ｃよりも同等以下であればよい。
【００２１】
したがって、この電球形蛍光ランプ１によれば、グローブ４を口金２に直接固着し、この口金２内に点灯回路基板３を固定し、この点灯回路基板３に固着したランプホルダー５により発光管５を保持するので、グローブ４と発光管６を保持し、口金２に装着する上記従来の遮光性カバーを削除することができる。
【００２２】
このために、口金２の根元、すなわち、口金２とグローブ４との境界部まで発光管６の発光により明るく発光させることができるので、電球形蛍光ランプ１全体としての発光効率を向上させることができると共に、白熱電球等一般照明用電球とほぼ同一または近似の配光特性を得ることができる。
【００２３】
また、発光管６の幅ａを点灯回路基板３の直径ｂよりも小さくしたので、口金２の開口端２ａ近傍において発光管６の幅方向端面と、この幅方向端面と図１中横方向で対抗するグローブ４の縮径端部内面との間には間隙ｇが形成されるので、発光管６からの発光をこの間隙ｇを通して外部へ照射させることができる。これにより、口金２とグローブ４との境界部の明るさをさらに向上させることができる。
【００２４】
図２は本発明の第２の実施形態に係る電球形蛍光ランプ１１の一部を縦断面で示す正面図である。この電球形蛍光ランプ１１は白熱電球等一般照明電球用のＥ２６形の口金１２の開口端部（図１中下端部）１２ａ内に、一般照明用電球と同一または近似の寸法のガラスグローブ１３の図１中上端部の縮径開口端部１３ａを嵌入し、その嵌入端部をシリコン樹脂により固着している。なお、一般照明用電球とは、ＪＩＳ  Ｃ  ７５０１に定義されているものである。また、グローブ１３は、透明または光拡散性を有する乳白色等であって透光性を有している。グローブ１３はガラスまたは合成樹脂等により一般照明用電球のガラス球とほぼ同形状の滑らかな曲面状に形成されている。
【００２５】
口金１２内には、その開口端１２ａとほぼ平行をなす横形で円板状の点灯回路基板１４を収容し、この点灯回路基板１４の外周縁部をシリコン樹脂等の接着剤により固着している。
【００２６】
点灯回路基板１４、その図２中下面の外周縁部に、有底円筒状で合成樹脂製のランプホルダー１５の開口端をシリコン樹脂等の接着剤により固着している。
【００２７】
ランプホルダー１５は、その胴部外側面をグローブ１３の縮径開口端１３ａの内周面に接着剤等により固着している。また、ランプホルダー１５は、その底部に、２重螺旋形の発光管１６の一対の電極封止端部１６ａ，１６ｂをほぼ横方向から挿通させて保持する挿通孔をそれぞれ穿設しており、これら挿通部には接着剤を充填して固着している。
【００２８】
発光管１６は、管径５〜８ｍｍの円管状ガラスバルブを突出部６ｃを中心にして２方向に分岐させて螺旋状に湾曲させることにより２重螺旋状に形成され、この２重螺旋の最大外径３００ｍｍに形成している。その２重螺旋形の中央部（図２中下面の中央部）に、図２中下方へ突出する突出部１６ｃを一体に連成しており、この突出部１６ｃを熱伝導性導体の一例であるシリコン接着剤１７によりグローブ１３の頂部内面に固着し、発光管１６を外部に露出する放熱性の高いグローブ１３に熱的に結合している。
【００２９】
発光管１６は、その２重螺旋の一対の端部である一対の電極封止端部１６ａ，１６ｂを上記ランプホルダー１５の各挿通孔を挿通させた後、点灯回路基板１４の図２中上面上に直接接触させた状態で、図２の紙面表裏方向で所要の間隔を置いて相互に対向配置し、この状態でこれら電極封止端部１６ａ，１６ｂを接着剤により固着している。なお、これら一対の電極封止端部１６ａ，１６ｂの先端面には、図示しない排気管を突設しているが、横向き、すなわち点灯回路基板１４の図２中下面に対してほぼ平行方向に突設しているので、これら一対の電極封止端部１６ａ，１６ｂを点灯回路基板１４に直接接触させることができる。
【００３０】
したがって、この電球形蛍光ランプ１１によれば、２重螺旋形状の発光管１６の突出部１６ｃを、熱伝導性を有するシリコン接着剤１７により、外部に露出する表面積が比較的大きいグローブ１７の湾曲頂端部の内面に固着しているので、発光管１６の放熱性を向上させ、最冷部を形成することができる。
【００３１】
このために、図１で示す電球形蛍光ランプ１の発光管６のように細長い細管を突設し、ランプホルダー５と点灯回路基板４とに細管を挿通させる挿通孔をそれぞれ穿設する加工を省略することができる。
【００３２】
また、発光管１６をその図２中下端の突出部１６ｃをグローブ１３の頂（下）端部により支持すると共に、一対の電極封止端部１６ａ，１６ｂをランプホルダー１５と点灯回路基板１４とにより支持するので、発光管１６の支持強度を向上させることができる。
【００３３】
さらに、発光管１６の一対の電極封止端部１６ａ，１６ｂが点灯回路基板１４に対して横方向、すなわちほぼ平行方向から近接し図示省略した排気管が横向きであるので、これら一対の電極封止端部１６ａ，１６ｂと点灯回路基板１４との間隔を最小にして、または直接接触させて固着することができる。
【００３４】
図３は本発明の第３の実施形態に係る電球形蛍光ランプ１１Ａの一部を縦断面で示す正面図である。この電球形蛍光ランプ１１Ａは前記図２で示す電球形蛍光ランプ１１において、そのランプホルダー１５を、第２のランプホルダー１５Ａに置換した点に特徴があり、これ以外は同一の構成である。
【００３５】
すなわち、第２のランプホルダー１５Ａは、発光管１６の一対の電極封止端部１６ａ，１６ｂ側の螺旋開口端から、その内方へ所要量挿入される合成樹脂製の円柱ないし円筒状であって、点灯回路基板１４の図３中下面中央部にて突設される。
【００３６】
したがって、この電球形蛍光ランプ１１Ａによれば、円柱ないし円筒状の第２のランプホルダー１５Ａの胴部外側周面と、螺旋状発光管１６の中央開口（空胴）内周面との間隙に、シリコン接着剤等の接着剤を充填して固着することにより、発光管１６の電極封止端部１６ａ，１６ｂを第２のランプホルダー１５Ａにより支持することができる。
【００３７】
なお、上記各実施形態では、口金１６が金属製である場合について説明したが、本発明はこれに限定されるものではなく、例えば口金本体を合成樹脂により形成し、その外面を銀（Ａｇ）やアルミニウム（Ａｌ）等の導電体を金属メッキしたものでもよい。
【図面の簡単な説明】
【００３８】
【図１】本発明の第１の実施形態に係る電球形蛍光ランプの一部を縦断面図で示す正面図。
【図２】本発明の第２の実施形態に係る電球形蛍光ランプの一部を縦断面図で示す正面図。
【図３】本発明の第３の実施形態に係る電球形蛍光ランプの一部を縦断面図で示す正面図。
【符号の説明】
【００３９】
１，１１，１１Ａ…電球形蛍光ランプ、２，１２…口金、３，１３…グローブ、３ａ，１３ａ…グローブの縮径開口端、４，１４…点灯回路基板、５，１５…ランプホルダー、１５ａ…第２のランプホルダー、６…屈曲発光管、１６…２重螺旋状の発光管、１６…、２重螺旋状の発光管の突出部…、１７…シリコン接着剤（熱伝導性媒体）。
【図１】
2007026729.tif 000003
【図２】
2007026729.tif 000004
【図３】
2007026729.tif 000005